(57)【要約】【課題】利用者が乗場操作盤を操作する時に、行き先階別にエレベータを乗り分ける必要があるか無いかが容易に判別できる群管理エレベータの呼び登録装置を得る。駆け込み乗車をする場合でも、利用者の注意や気遣いを不要にする。【解決手段】乗場操作盤の行き先釦を操作すると、その行き先階にサービスするエレベータの出入口に設置されたサービス階表示器にそのエレベータがサービスする階が表示され、行き先階別に利用者がエレベータを乗り分ける行き先階別配車サービスを備えるものにおいて、乗場操作盤に行き先釦、及び上り釦と下り釦を設け、乗場操作盤にエレベータの運転状態に応じて行き先釦、及び上り釦と下り釦のいずれか一方を隠蔽する隠し板を設ける。【選択図】      図１
2004323171.tif 000002
【特許請求の範囲】
【請求項１】
乗場操作盤の行き先釦を操作すると、その行き先階にサービスするエレベータの出入口に設置されたサービス階表示器にそのエレベータがサービスする階が表示され、行き先階別に利用者がエレベータを乗り分ける行き先階別配車サービスを備える群管理エレベータにおいて、乗場操作盤に行き先釦、及び上り釦と下り釦を設け、前記乗場操作盤にエレベータの運転状態に応じて前記行き先釦、及び前記上り釦と下り釦のいずれか一方を隠蔽する隠し板を設けたことを特徴とする群管理エレベータの呼び登録装置。
【請求項２】
隠し板は、行き先階別に利用者がエレベータを乗り分ける方式で運転している時は、上り釦と下り釦を隠蔽して、行き先釦のみ操作可能とし、行き先階別に利用者がエレベータを乗り分けしない方式で運転している時は、行き先釦を隠蔽して、上り釦と下り釦のみ操作可能としたことを特徴とする請求項１記載の群管理エレベータの呼び登録装置。
【請求項３】
隠し板を上下方向に移動させる駆動手段を、乗場操作盤のフェースプレート背面の内部機器取付箱に設け、前記隠し板と前記駆動手段を、前記フェースプレートに設けた連結材移動用穴を通して連結材で連結したことを特徴とする請求項１又は請求項２記載の群管理エレベータの呼び登録装置。
【請求項４】
隠し板を上下方向に移動させる駆動手段は、内部機器取付箱の底部に設けたサーボモータと、このサーボモータを制御するサーボモータ制御器と、サーボモータの回転軸に連結され、内部機器取付箱内を垂直方向に上部まで伸びるボールねじと、このボールねじに嵌め込まれてボールねじの回転に追従して上下方向に移動する連結材が連結されたナットとから構成されていることを特徴とする請求項３記載の群管理エレベータの呼び登録装置。
【発明の詳細な説明】
【０００１】
【発明の属する技術分野】
この発明は行き先階別に利用者がエレベータを乗り分ける行き先階別配車サービスを行う群管理エレベータの呼び登録装置に関するものである。
【０００２】
【従来の技術】
従来、エレベータの呼び登録装置としては、出勤時等の混雑時間帯に、柔軟で効率のよい運転ができるようにするために、行き先階別に利用者がエレベータを乗り分ける方式の行き先階別配車サービスを行う群管理エレベータの呼び登録装置が提案されている（例えば、特許文献１参照）。
【０００３】
【特許文献１】
特開平５−１５５５４２号公報（第５図）
【０００４】
【発明が解決しようとする課題】
上記従来のエレベータの呼び登録装置にあっては、乗場操作盤とサービス階表示器が設置され、出勤時等の混雑時の運転効率を上げるために、行き先階別に利用者がエレベータを乗り分ける方式で運転する場合は、エレベータ利用者が自分の行き先階に応じて乗場操作盤上の行き先釦を操作する。それと同時に、その行き先階にサービスするエレベータの出入り口上部に設置されたサービス階表示器にそのエレベータがサービスする階が表示される。エレベータ利用者は前記サービス階表示器を見て（利用者はサービス階表示器を見る必要がある）、自分が乗車すべきエレベータ１台をエレベータ群の中から見つけ出し、行き先階別に限定されたエレベータの前で到着を待ち、かつ乗場ホールランタンにより到着が報知されたエレベータに間違えないように乗車する必要があった。このように利用者はエレベータの乗り分けに対する知識やルールを事前に学習し、覚えておく必要がある。出勤時のように何時も使い慣れた利用者がエレベータを使用する時間帯ではエレベータの乗り分けに対する知識やルールは「使い慣れ」によって事前に学習ができているので不都合はない。しかし、出勤時を過ぎエレベータの乗り分けに対する知識やルールを事前に学習できていない不特定多数の利用者が使用する時間帯になると、エレベータを乗り分ける方式は不都合なものとなる。
したがって、出勤時が終わり不特定多数の利用者が使用する時間帯になると、上記した利用者がエレベータを乗り分ける方式を中止して、エレベータ利用者が自分の行き先階に応じて乗場操作盤上の行き先釦を操作すると、サービス階表示器には行き先階を表示せず（利用者はサービス階表示器を見る必要がない）、乗場ホールランタンにより到着が報知されたエレベータに乗車してもらう、利用者が行き先階別にエレベータの乗り分けを行う必要のない一般的な運転に自動的に切り替えるようにしている。
【０００５】
しかし、上記従来のエレベータの呼び登録装置では、時間帯や混雑度に応じて行き先階別にエレベータを乗り分ける方式（サービス階表示器を見る必要がある場合）と、エレベータを乗り分けしない方式（サービス階表示器を見る必要がない場合）とに自動的に切り替えられるため、エレベータの利用者はどちらの方式で運転されているかを知るためには、乗場操作盤の行き先釦を操作すると同時にサービス階表示器に行き先階が表示されているか否かを常に見て判別する必要がある。時間帯や混雑度に関係なく、頻繁にエレベータを利用する乗客にとっては、エレベータを利用する都度「サービス階表示器を見る」という行為を強制されることになるため、非常に煩わしいという問題がある。
また、行き先階別にエレベータを乗り分けしない一般的な運転中においても、閉じかけたドアーを再度開かせて乗車する、いわゆる駆け込み乗車する場合も利用者の行きたい階の乗場操作盤の行き先釦を「間違いなく操作する」必要があり、駆け込み乗車するような咄嗟の場合にも常に自分の行き先階を意識していなくてはならないため不便であるという問題がある。
【０００６】
この発明は、上述のような課題を解決するためになされたもので、第１の目的は、利用者が乗場操作盤を操作する時に、行き先階別にエレベータを乗り分ける必要があるか無いかが容易に判別できる群管理エレベータの呼び登録装置を提供するものである。
また、第二の目的は、駆け込み乗車をする場合でも、利用者の注意や気遣いを不要にする群管理エレベータの呼び登録装置を提供するものである。
【０００７】
【課題を解決するための手段】
この発明に係る群管理エレベータの呼び登録装置は、乗場操作盤に行き先釦、及び上り釦と下り釦を設け、乗場操作盤にエレベータの運転状態に応じて行き先釦、及び上り釦と下り釦のいずれか一方を隠蔽する隠し板を設けたものである。
【０００８】
【発明の実施の形態】
実施の形態１．
図１はこの発明の実施の形態１における群管理エレベータの呼び登録装置を示すシステム構成図、図２及び図４は乗場操作盤の構成を示す正面図、図３及び図５は乗場操作盤の断面図、図６及び図７は乗場表示状態を示す乗場正面図である。
図１において、エレベータの乗場には、乗場操作盤１、サービス階表示器２、乗場ホールランタン３が設置されている。複数のエレベータの運転を管理する群管理装置４の内部に運転方式切換手段５が設けられ、この運転方式切換手段５はシステムバス６によって乗場操作盤１、サービス階表示器２に接続され、相互でデータ通信を行う。すなわち、出勤時等の混雑時には運転方式切換手段５から時間帯や混雑度に応じて行き先階別にエレベータを乗り分ける方式で運転する運転方式切換信号がシステムバス６に送出され、乗場操作盤１はその運転方式切換信号を受信するように構成されている。運転方式切換手段から送出される運転方式切換信号は、行き先階別にエレベータを乗り分ける方式で運転する場合は「ＯＮ」し、行き先階別にエレベータを乗り分ける方式で運転しない場合は「ＯＦＦ」する信号の形態となっている。
【０００９】
図２〜図５において、乗場操作盤１には、正面上半部に複数の行き先釦１１〜１８（Ｂ１階、２階〜８階の行き先釦）が設けられ、正面下半部に上り釦２１と下り釦２２が設けられている。乗場操作盤１の正面には、上下方向に移動可能な隠し板３０が設けられている。
図２、図３は隠し板３０が下降位置にあって、上り釦２１と下り釦２２を覆い隠し、上り釦２１と下り釦２２は操作できない状態であり、行き先釦１１〜１８は覆われていないので、操作可能な状態であることを示している。これが行き先階別にエレベータを乗り分ける方式で運転する場合を示している。
図４、図５は隠し板３０が上昇位置にあって、行き先釦１１〜１８を覆い隠し、行き先釦１１〜１８は操作できない状態であり、上り釦２１と下り釦２２は覆われていないので、操作可能な状態であることを示している。これが行き先階別にエレベータを乗り分ける方式で運転しない場合を示している。
次に隠し板３０を上下に移動させる駆動手段について、説明する。
乗場操作盤１のフェースプレート４０の背面に内部機器取付箱４２が設けられ、この取付箱４２の底部にサーボモータ５０と、このサーボモータを制御するサーボモータ制御器５１と、これら両者間を接続するサーボモータ制御線５２が設けられている。サーボモータ５０の回転軸にボールねじ５３が直結され、内部機器取付箱４２内を垂直方向に上部まで伸びている。サーボモータ５０の回転軸の回転に追従してボールねじ５３も回転する。また、ボールねじ５３にはナット５４が嵌め込まれており、ボールねじ５３の回転に追従してナット５４は上下方向に移動するように構成されている。
隠し板３０は連結材３１により、乗場操作盤１のフェースプレート４０に穴あけ加工された連結材移動用角穴４１を通してナット５４に連結されている。従って、隠し板３０はナット５４の上下移動（昇降）に追従し、同様に上下移動（昇降）するように構成されている。
図２に示す行き先階別にエレベータを乗り分ける方式で運転する場合から、図４に示す行き先階別にエレベータを乗り分ける方式で運転しないように運転状態が変化した場合は、運転方式切換手段５から送出される運転方式切換信号は、「ＯＮ」状態から「ＯＦＦ」状態に変化する。
運転状態切換手段５から送出された「ＯＦＦ」状態の運転方式切換信号は、システムバス６を通して乗場操作盤１内のサーボモータ制御器５１に伝達される。運転方式切換信号が「ＯＦＦ」状態になると、サーボモータ制御器５１はサーボモータ制御線５２を介してサーボモータ５０に正回転指令（ナット５４を上方向に移動させる回転）を出し、サーボモータ５０は正回転する。サーボモータ５０が正回転すると、ボールねじ５３が正回転しナット５４と隠し板３０が上方へ移動し、隠し板３０が行き先釦１１〜１８を隠す位置まで移動すると、リミットスイッチ（図示せず）が働いてサーボモータ５０は停止する。その結果、図４に示すように上り釦２１と下り釦２２のみが操作可能となる。
これとは逆に、図４に示す行き先階別にエレベータを乗り分ける方式で運転しない場合から、図２に示す行き先階別にエレベータを乗り分ける方式で運転するように運転状態が変化した場合は、運転方式切換手段５から送出される運転方式切換信号は、「ＯＦＦ」状態から「ＯＮ」状態に変化する。
運転状態切換手段５から送出された「ＯＮ」状態の運転方式切換信号は、システムバス６を通して乗場操作盤１内のサーボモータ制御器５１に伝達される。運転方式切換信号が「ＯＮ」状態になると、サーボモータ制御器５１はサーボモータ制御線５２を介してサーボモータ５０に逆回転指令（ナット５４を下方向に移動させる回転）を出し、サーボモータ５０は逆回転する。サーボモータ５０が逆回転すると、ボールねじ５３が逆回転しナット５４と隠し板３０が下方へ移動し、隠し板３０が上り釦２１と下り釦２２を隠す位置まで移動すると、リミットスイッチ（図示せず）が働いてサーボモータ５０は停止する。その結果、図２に示すように行き先釦１１〜１８のみが操作可能となる。
【００１０】
以上のように、乗場操作盤１の隠し板３０が運転方式切換手段５から送出される運転方式切換信号に応じて上下移動して行き先釦１１〜１８または上り釦２１と下り釦２のいずれか一方を隠蔽することになる。
その結果、出勤時等の混雑時に行き先階別にエレベータを乗り分ける方式で運転する場合は、図６に示すように乗場操作盤１は行き先釦１１〜１８のみが操作可能な状態となり、サービス階表示器２にはサービス階が表示されるので、エレベータ利用者は行き先釦１１〜１８を操作することで行き先階を登録することができ、サービス階表示器２に表示される行き先階に従ってエレベータを乗り分けることができる。
また、出勤時等の時間帯以外の混雑しなくなった時のように行き先階別にエレベータを乗り分ける方式で運転しない場合は、図７に示すように乗場操作盤１は、上り釦２１と下り釦２２のみが操作可能な状態となり、サービス階表示器２には行き先階は表示されないので、エレベータ利用者は上り釦２１と下り釦２２を操作することで一般的なビルに設置されているエレベータと同様に上り釦２１、または下り釦２２で上り呼び、または下り呼びを登録することができ、その呼びの方向に応答して到着したエレベータに乗車することができる。
さらに、図７に示す出勤時等の時間帯以外の混雑しなくなった時のように行き先階別にエレベータを乗り分ける方式で運転しない場合は、エレベータ利用者は自分の行き先階は乗車する階より上か、下かという一般的なビルに設置されているエレベータと同様の判断により、上り釦２１と下り釦２２を操作することができるので、閉じかけたドアーを再度開かせて乗車する、いわゆる駆け込み乗車する場合でも、エレベータの運転方向と同じ方向の上り釦２１か、下り釦２２を操作することで閉じかけたドアーを再度開かせて乗車することができる。
【００１１】
実施の形態２．
実施の形態１では、隠し板３０を上下に移動させる駆動手段として、取付箱４２の底部に設けたサーボモータ５０と、このサーボモータを制御するサーボモータ制御器５１と、これら両者間を接続するサーボモータ制御線５２と、サーボモータ５０の回転軸に直結され、内部機器取付箱４２内を垂直方向に上部まで伸びるボールねじ５３と、ボールねじ５３に嵌め込まれ、ボールねじ５３の回転に追従して上下方向に移動するナット５４とから構成したが、隠し板３０に連結された連結材３１の取付箱側他端をループ状のベルトまたはチェーン（いずれも図示せず）に直結し、このループ状ベルトまたはチェーンをプーリーモータまたは歯車付きモータ（いずれも図示せず）により正逆回転させることにより、隠し板３０を上下に昇降移動させることができる。なお、隠し板３０の移動距離に応じて、リミットスイッチ（図示せず）を働かせて停止させることは実施の形態１と同様である。
【００１２】
【発明の効果】
この発明は以上説明したように、乗場操作盤に行き先釦、及び上り釦と下り釦を設け、乗場操作盤にエレベータの運転状態に応じて行き先釦、及び上り釦と下り釦のいずれか一方を隠蔽する隠し板を設けたので、行き先階別にエレベータを乗り分ける方式で運転する時は乗場操作盤の行き先釦のみ利用者から見えて操作可能であり、行き先階別にエレベータを乗り分けない方式で運転する時は上り釦と下り釦のみ利用者から見えて操作可能である。従って、乗場操作盤を見るという行為のみで現時点の運転が行き先階別にエレベータを乗り分ける方式で運転しているのか、否かの判断・識別ができる効果がある。
【００１３】
また、行き先階別にエレベータを乗り分けない方式で運転する時は、一般的なビルに設置されているエレベータと同様に、エレベータ利用者は自分の行き先階は乗車する階より上か下かという判断で上り釦または下り釦を操作することができるので、閉じかけたドアーを再度開かせて乗車する、いわゆる駆け込み乗車する時に利用者の注意や気遣いを不要にすることができる効果がある。
【図面の簡単な説明】
【図１】この発明の実施の形態１における群管理エレベータの呼び登録装置を示すシステム構成図である。
【図２】この発明の実施の形態１における乗場操作盤の構成を示す正面図であり、隠し板が下降位置にある状態を示す。
【図３】この発明の実施の形態１における乗場操作盤の断面図であり、隠し板が下降位置にある状態を示す。
【図４】この発明の実施の形態１における乗場操作盤の構成を示す正面図であり、隠し板が上昇位置にある状態を示す。
【図５】この発明の実施の形態１における乗場操作盤の断面図であり、隠し板が上昇位置にある状態を示す。
【図６】この発明の実施の形態１における乗場表示状態を示す乗場正面図であり、隠し板が下降位置にある状態を示す。
【図７】この発明の実施の形態１における乗場表示状態を示す乗場正面図であり、隠し板が上昇位置にある状態を示す。
【符号の説明】
１  乗場操作盤
２  サービス階表示器
３  乗場ホールランタン
４  群管理装置
５  運転方式切換手段
６  システムバス
１１〜１８  行き先釦
２１  上り釦
２２  下り釦
３０  隠し板
３１  連結材
４０  フェースプレート
４１  連結材移動用角穴
４２  内部機器取付箱
５０  サーボモータ
５１  サーボモータ制御器
５２  サーボモータ制御線
５３  ボールねじ
５４  ナット
【図１】
2004323171.tif 000003
【図２】
2004323171.tif 000004
【図３】
2004323171.tif 000005
【図４】
2004323171.tif 000006
【図５】
2004323171.tif 000007
【図６】
2004323171.tif 000008
【図７】
2004323171.tif 000009